(57)【要約】【課題】チェーンに対するケーブル類の組み込みを簡単に行なえ、しかも、ケーブル類の損傷や断線事故を最少にすることができる、ケーブル類支持案内装置を得ることにある。【解決手段】チェーン（ＣＨ）と、チェーンに沿って配置されたケーブル類（ＣＢ）と、チェーンと交差してチェーンに配置されたケーブル類を支持するサポート（２０）とを備えている。サポートはケーブル類の長手方向に撓む材料から構成され、曲線区間において、ケーブル類に力がかかると、サポートが力の作用方向に撓んで、曲がるのに必要なケーブル類の長さを確保する。【選択図】    図１
2004156673.tif 000002
【特許請求の範囲】
【請求項１】
チェーンと、該チェーンに沿って配置されたケーブル類と、前記チェーンと交差して前記チェーンに配置されたケーブル類を支持するサポートとを備え、前記サポートが前記ケーブル類の長手方向に撓むように構成されていることを特徴とするケーブル類支持案内装置。
【請求項２】
前記サポートがゴムおよび熱可塑性エラストマーを含むエラストマーからなる請求項１に記載のケーブル類支持案内装置。
【発明の詳細な説明】
【０００１】
【発明の属する技術分野】
この発明は、ケーブル類支持案内装置にかかわり、さらに詳しくは、ケーブルやホースなどのケーブル類をチェーンによって支持しているケーブル類支持案内装置に関している。
【０００２】
【従来の技術】
この種のケーブル類支持案内装置は、互いにピンによって連結された複数のリンクをもつチェーンと、リンクの連結方向に沿ってチェーンを貫通するケーブル類と、リンクの連結方向と交差してリンクの各々に配置されたケーブル類を支持するサポートとを備えている（例えば特許文献１を参照）。これにおいて、ケーブル類を構成するケーブルやホースは、リンクの連結中心軸とケーブル類の中心軸とを一致させサポートに固定支持され、長手方向への摺動が最少になるようにしている。そして、サポートは、ポリエチレン樹脂のような軟質プラスチックの成型物によって構成され、ケーブル類が長手方向に摺動しても、ケーブル類の損傷を最少にしている。
【０００３】
【特許文献１】
特開昭６２−８８８４６号公報
【０００４】
【発明が解決しようとする課題】
しかしながら、このようなものでは、ケーブル類がサポートに支持されているため、曲線区間にてケーブル類に無理な力がかかり、ケーブル類を損傷させたり、断線事故を発生させるおそれがある。このため、チェーンに対してケーブル類を組み込むときに、曲率半径に応じて、サポート間のケーブル長を厳密に設定する必要があり、設置にかなりの手間を要している。
【０００５】
本発明の目的は、チェーンに対するケーブル類の組み込みを簡単に行なえ、しかも、ケーブル類の損傷や断線事故を最少にすることができる、ケーブル類支持案内装置を提供することにある。
【０００６】
【課題を解決するための手段】
上記の目的を達成するために、本発明のケーブル類支持案内装置は、チェーンと、チェーンに沿って配置されたケーブル類と、チェーンと交差してチェーンに配置されたケーブル類を支持するサポートとを備え、サポートがケーブル類の長手方向に撓むように構成されていることを特徴としている。
【０００７】
【作用】
本発明のケーブル類支持案内装置は、チェーンと、チェーンに沿って配置されたケーブル類と、チェーンと交差してチェーンに配置されたケーブル類を支持するサポートとを備え、サポートがケーブル類の長手方向に撓むように構成されているため、曲線区間にて、ケーブル類の長手方向に力がかかると、サポートが力の作用方向に撓んで、曲がるのに必要なケーブル類の長さを確保し、ケーブル類に無理な力がかからず、しかも、サポート間のケーブル長を厳密に設定することなしにチェーンに対するケーブル類の組み込みを行なえる。
【０００８】
【発明の実施の形態】
本発明のケーブル類支持案内装置は、ある実施の形態にしたがうと、サポートがケーブル類を支持する支持部と支持部を保持しかつチェーンに固定する連結部とを有し、支持部が撓むことによって曲がるのに必要なケーブル類の長さを確保している。これにおいて、ケーブル類の支持は、たとえば、支持部が一端を交差させて配置された複数のスリットによって形成され貫通部を備え、ケーブル類が貫通部に挿入され、スリットの間の形成される舌部が変形することによって、あるいは、支持部がケーブル類の高さあるいは直径よりも小さな幅をもつ細長い開口を有し、ケーブル類がこの細長い開口に挿入され、支持部における細長い開口を形成する部分が変形することによってなされる。
【０００９】
本発明のケーブル類支持案内装置は、他の実施の形態にしたがうと、サポートがケーブル類を保持する支持部と支持部を保持しかつチェーンに固定する連結部とを有し、支持部が撓むことによって曲がるのに必要なケーブル類の長さを確保している。これにおいて、ケーブル類の支持は、たとえば、支持部がケーブル類の断面形状に対応する形状の貫通部を有し、ケーブル類がこの貫通部に固定支持されることによってなされる。
【００１０】
以下に、添付図面を参照して、本発明のケーブル類支持案内装置の実施例を説明する。
【００１１】
（実施例１）
図１〜図５は本発明によるケーブル類支持案内装置の第一の実施例を示している。
【００１２】
このケーブル類支持案内装置は、図１に示すように、チェーンＣＨおよびチェーンＣＨに支持されるケーブル類ＣＢとを備えている。
【００１３】
チェーンＣＨは多数のリンク体１０からなっている。各々のリンク体１０は、左右一対のリンクプレート１１，１２を備えている。リンクプレート１１，１２は下縁を下部連結杆１３によって、上縁を接続する上部連結杆１４によってそれぞれ接続形成されている。下部連結杆１３はリンクプレート１１，１２と一体に形成されている。上部連結杆１４は、一端をリンクプレート１２にヒンジ機構１５によって連結され、他端をリンクプレート１２にあるストップ機構１６によって保持されている。
【００１４】
リンクプレート１１，１２の前端にはピン１７が一体に形成され、後端にはピン孔１８が設けられている。リンク体１０は、前端を前方にある隣接リンク体１０の後端に、後端を後方にある隣接リンク体１０の前端にかみ合わせて一列に配置すると共に、ピン１７をピン孔１８に嵌め込むことによって連結されている。連結されると、チェーンＣＨの内部にはチェーンＣＨの長手方向に延びる中空部１９が形成される。
【００１５】
ケーブル類ＣＢはチェーンＣＨの中空部１９を貫通している。サポート２０が各々のリンクプレート１１，１２の間に組み込まれ、ケーブル類ＣＢを支持している。
【００１６】
図２および図３はサポート２０の詳細を示している。サポート２０の各々は熱可塑性エラストマーの射出成型物からなっている。サポート２０は支持部２１と連結部２２と備えている。
【００１７】
連結部２２は断面が矩形を有している。突出部２３が外側面に一体に形成されている。一方、図１に示すように、チェーンＣＨのリンク体１０を構成するリンクプレート１１，１２、下部連結杆１３および上部連結杆１４の内面には、突出部２３が嵌まる溝２４が設けられている。
【００１８】
支持部２１は、連結部２２よりも厚みの薄い平行平面板の形態をなすもので、ケーブル類ＣＢを貫通させかつこれを支持する貫通部２５を備えている。ケーブル類ＣＢは、たとえば四本あり、それぞれが直径の異なる円形断面のものからなっている。貫通部２５の各々は、図２に鎖線で示されているように、ケーブル類ＣＢの直径にほぼ等しい仮想円からなっている。貫通部２５はこれらの仮想円の中心に関して放射状に配置されたスリット２６によって形成されている。これらのスリット２６は、一端が仮想円の中心で交差し、該中心に関して等角度間隔に配置されている。
【００１９】
チェーンＣＨに対するケーブル類ＣＢの組み込みは、図１および図４に示すように、ケーブル類ＣＢにサポート２０を嵌め、突出部２３をリンクプレート１１，１２および下部連結杆１３の内面にある溝２４に押し込んでサポート２０をチェーンＣＨに組み付け、上部連結杆１４を閉じ、上部連結杆１４にある溝２４を突出部２３に嵌めることによってなされる。
【００２０】
組み込まれると、ケーブル類ＣＢが各々のサポート２０の貫通部２５を形成するスリット２６の間にある舌部２７が図４に示すように根元が曲がってケーブル類ＣＢの表面に圧着され、ケーブル類ＣＢを固定支持する。
【００２１】
このケーブル類支持案内装置は、たとえば、横中ぐり盤と付属装置とを接続するケーブル類の支持案内装置として使用される。ケーブル類はたとえば主軸ヘッドにある電動機と電源装置とを接続する電源ケーブルおよび主軸ヘッド上のクーラントノズルとクーラントタンクとを接続するクーラントホースである。
【００２２】
このケーブル支持案内装置は、図５に示すように、チェーンＣＨの片端にあるリンク体１０には移動端金具２８を、反対端にあるリンク体１０に固定端金具２９をそれぞれピン連結されている。移動端金具２８は主軸ヘッドに、固定端金具２９はベッドあるいはコラムにそれぞれピン連結されている。
【００２３】
主軸ヘッドが移動すると、チェーンＣＨが図５に鎖線で示すように主軸ヘッドの移動に応じて伸縮し、電源ケーブルおよびクーラントホースを主軸ヘッドに追随させる。
【００２４】
このときに、直線区間では、舌部２７が電源ケーブルおよびクーラントホースに圧着しているため、電源ケーブルおよびクーラントホースがサポート２０に固定支持される。このため、ケーブル類ＣＢは、長手方向に摺動せず、表皮あるいは被覆を損傷しない。曲線区間では、電源ケーブルおよびクーラントホースに力がかかると、サポート２０が撓んで、ケーブルおよびホースに余裕長さを付与する、つまり、曲線区間の頂点を境にして、片側にあるサポート２０の各々が引っ張られ、反対側にあるサポート２０が反対方向に引っ張られ、ケーブルおよびホースに余裕長さを付与する。このため、電源ケーブルおよびクーラントホースからなるケーブル類ＣＢに無理な力がかからず、ケーブル類ＣＢが損傷せず、断線しない。
【００２５】
さらに、ケーブル類ＣＢを構成する電源ケーブルおよびクーラントホースが各々独立した貫通部２５によって支持され、初期セット状態を維持している、つまり電源ケーブルおよびクーラントホースの配列間隔がつねに変らないため、ケーブル類ＣＢが長手方向に摺動しないことと相俟って、電源ケーブル同士およびクーラントホース同士がからまず、電源ケーブルとクーラントホースとがからまない。
【００２６】
さらに、振動がチェーンＣＨに伝達されても、熱可塑性エラストマーからなるサポート２０がこれを吸収し、電源ケーブルおよびクーラントホースが振動しない。
【００２７】
（実施例２）
図６および図７は本発明のケーブル類支持案内装置の他の実施の形態を示している。
【００２８】
このケーブル類支持案内装置も、図１〜図５に関連して説明したケーブル類支持案内装置と同様に構成されたチェーンを備えるもので、サポートの構成のみが異なっている。
【００２９】
このサポート１２０も熱可塑性エラストマーの射出成型物からなっている。サポート１２０は二つのサポート部分１３１，１３２からなっている。これらのサポート部分１３１，１３２はサポート１２０を横中心軸と平行な分割線によって二つに分割することで形成されている。
【００３０】
サポート部分１３１は支持部１２１および連結部１２２を備えている。連結部１２２は断面が矩形を有している。チェーンの溝に嵌まる突出部１２３が外側面に一体に形成されている。支持部１２１は、厚みが連結部１２２よりも薄い、平行平面板からなっている。支持部１２１の分割面１３３は連結部１２２の下面よりも長さＨだけ短い。サポート部分１３２は、サポート部分１３１と同様に構成されている。
【００３１】
さらに、サポート部分１３１を構成する連結部１２２の分割面１３３には、図７に示すように、突起１３５が設けられている。突起１３５は連結部１２２と一体に形成されている。サポート部分１３２の分割面１３４には凹み１３６が設けられている。これらのサポート部分１３１，１３２は、突起１３５を凹み１３６に圧入して、ひとつのサポート１２０を構成するとともに、ケーブル類を支持する貫通部１２５を形成している。支持部１２１の下端面と連結部１２２のそれとの間には長さＨの差があるため、貫通部１２５はサポート１２０の横中心軸に沿って延びる細長い開口となっている。
【００３２】
チェーンへのケーブル類ＣＢの組み込みは、サポート部分１３２をチェーンに装着し、ケーブル類ＣＢをサポート部分１３２の支持部２１の上縁に載せ、凹み１３６に突起１３３をはめ込んでサポート部分１３２にサポート部分１３１を結合したあと、上部連結杆を閉じ、これにある溝をサポート１２０の突出部１２３に嵌め込むことによってなされる。
【００３３】
ケーブル類ＣＢは図６に二点鎖線で示すように貫通部１２５に圧入され、支持部１２１，１２２における貫通部１２５の両側の部分１２７が撓んで、ケーブル類ＣＢの表面に圧着される。
【００３４】
このケーブル支持案内装置は、図１〜図５に関連して説明した支持案内装置と同様に、横中ぐり盤と付属装置とを接続するためのケーブル類の支持案内装置として使用される。
【００３５】
チェーンは片端にあるリンク体を移動端金具に連結され、他端にあるリンク体を固定端金具に連結されている。そして、移動端金具は主軸ヘッドに、固定端金具はベッドあるいはコラムに結合される。
【００３６】
主軸ヘッドが移動すると、チェーンが主軸ヘッドの移動に応じて伸縮して、電源ケーブルおよびクーラントホースを主軸ヘッドに追随させる。
【００３７】
このときに、直線区間では、支持部１２１における貫通部１２５の両側に位置する部分１２７が電源ケーブルおよびクーラントホースに圧着しているため、電源ケーブルおよびクーラントホースがサポート１２０に固定支持され、長手方向に摺動せず、表皮あるいは被覆を損傷しない。曲線区間では、電源ケーブルおよびクーラントホースに力がかかると、支持部１２１が撓んで、電源ケーブルおよびクーラントホースに余裕長さを付与し、電源ケーブルおよびクーラントホースに無理な力をかけない。このため、ケーブル類ＣＢは損傷せず、断線しない。
【００３８】
さらに、ケーブル類ＣＢを構成する電源ケーブルおよびクーラントホースは貫通部１２５によって独立して支持され、初期セット状態を維持する、つまり電源ケーブルおよびクーラントホースの配置間隔が変らないため、電源ケーブル同士およびクーラントホース同士がからまず、電源ケーブルとクーラントホースとがからまない。そして、外部から振動を受けても、サポート１２０がこれを吸収して、電源ケーブルおよびクーラントホースに伝達しない。
【００３９】
さらにまた、サポート１２０が二つに分割され、片方のサポート部分１３１をチェーンに対して着脱することによって、電源ケーブルおよびクーラントホースの組み込みや交換などを行なえるため、ケーブル類の設置および保守を簡単かつ迅速に行なうことができる。
【００４０】
（実施例３）
図８および図９は本発明のケーブル類支持案内装置のさらに他の実施の形態を示している。
【００４１】
このケーブル類支持案内装置も、図１〜図５に関連して説明したケーブル類支持案内装置と同様に構成されたチェーンを備えるもので、サポートの構成のみが異なっている。
【００４２】
図８はサポート２２０のみを示している。このサポート２２０も熱可塑性エラストマーの射出成型物からなっている。そして、サポート２２０は、図６および図７に示すサポート１２０と同様に、横中心軸方向にて二つに分割することで形成された二つのサポート部分２３１，２３２からなっている。
【００４３】
各々のサポート部分２３１，２３２の支持部２２１は、厚みが連結部２２２よりも厚い平行平面板からなっている。支持部２２１にはケーブル類を圧入させる貫通部２２５が設けられている。貫通部２２５はここに挿入されるケーブル類の直径にほぼ等しい円形開口からなっている。サポート２２０は二つに分割されているため、各々のサポート部分２３１，２３２の支持部２２１には前記円形開口の半分である半円開口からなる貫通部２２５が形成されている。
【００４４】
また、各々のサポート部分２３１，２３２の連結部２２２は支持部２２１と一体に形成されている。この連結部２２２は、厚みが支持部２２１の厚みよりも薄く、図９に示すように波形に形成されている。この波形部分２２７は、サポート２２０の前後方向に凹凸をもち、溝部がサポート２２０の上下方向に延びる複数の波によって形成されている。突出部２２３は連結部２２２の両側縁のみに形成されている。チェーンはリンクプレートの内面のみに、これらの突出部２２３が嵌まる溝を有している。
【００４５】
さらに、連結部２２２は分割面２３３に突起２３５を、連結部２２２は分割面２３４に凹み２３６を備えている。サポート部分２３１，２３２は、突起２３５を凹み２３６にかん合され、ひとつのサポート２２０を構成すると共に、各々の半円開口はケーブル類を貫通させかつこれを支持する貫通部２２５を形成している。
【００４６】
チェーンへのケーブル類の組み込みは、サポート部分２３２をチェーンに装着し、ケーブル類をサポート部分２３２の支持部２２１の貫通部２２５に嵌め、凹み２３６に突起２３３をはめ込んでサポート部分２３２にサポート部分２３１を結合したあと、上部連結杆を閉じ、これにある溝をサポート２２０の突出部２２３に嵌め込むことによってなされる。
【００４７】
ケーブル類は支持部２２１の貫通部２２５に圧入される。このときに、支持部２２１は厚みが大きいためほとんど撓まず、支持部２２１における貫通部２２５を形成する部分、つまり円形開口２２５の内壁がケーブル類の表面に圧着している。
【００４８】
この支持案内装置は、図１〜図５に関連して説明した支持案内装置と同様に、横中ぐり盤の主軸ヘッドと付属装置とを接続するケーブル類支持案内装置として使用される。
【００４９】
このケーブル類支持案内装置のチェーンは、片端にあるリンク体を移動端金具に連結され、他端にあるリンク体を固定端金具に連結されている。そして、移動端金具は主軸ヘッドに、固定端金具はベッドあるいはコラムに結合される。
【００５０】
主軸ヘッドが移動すると、この支持案内装置が主軸ヘッドの移動に応じて伸縮して、電源ケーブルおよびクーラントホースを主軸ヘッドに追随させる。
【００５１】
このときに、直線区間では、支持部２２１が電源ケーブルおよびクーラントホースを固定支持しているため、長手方向に摺動せず、支持部２２１が熱可塑性エラストマーからなるため、表皮あるいは被覆を損傷しない。曲線区間では、電源ケーブルおよびクーラントホースに力がかかると、連結部２２２が力の作用方向に撓み、ケーブルおよびホースに余裕長さを付与し、ケーブル類に無理な力をかけない。このため、ケーブル類は損傷せず、断線しない。
【００５２】
さらに、チェーンが振動しても、連結部２２２がこれを吸収して、電源ケーブルおよびクーラントホースからなるケーブル類に伝達しない。そして、ケーブル類を構成する電源ケーブルおよびクーラントホースは個々の支持部２２１によって支持され、初期セット状態を維持する、つまり電源ケーブルおよびクーラントホースの配置間隔が変らないため、電源ケーブル同士およびクーラントホース同士からまず、電源ケーブルとクーラントホースとがからまない。
【００５３】
さらにまた、サポート２２０が二つに分割され、片方のサポート部分２３１をチェーンに対して着脱することによって、電源ケーブルおよびクーラントホースの組み込みや交換などを行なえるため、ケーブル類の設置および保守を簡単かつ迅速に行なうことができる。
【００５４】
なお、以上説明した実施例において、チェーンＣＨは、リンクをピン連結した構造のもの、つまり各々のリンクのピンを前方にある隣接リンクのピン孔に、ピン孔を後方にある隣接リンクのピンに嵌めたものからなっているが、本発明はこのようなチェーンのみに限定されず、他の構成のチェーンを採用することができる。たとえば、各々のリンクが隣接リンクとの継手をもつチェーン、すなわち、チェーンを形成するリンクが側板の一側縁に連結杆を、反対側縁に連結溝を備え、連結杆を前方にある隣接リンクの連結溝に、連結溝を後方にある隣接リンクの連結杆に嵌める構造のチェーンであってもよい。さらに、各々のリンクをベルト材で連結したチェーン、すなわち、弾性材からなるベルト材が隣接配置されたリンクに結合されている構造のチェーンであってもよい。
【００５５】
また、サポート２０，１２０，２２０は単カラーの熱可塑性エラストマー成型物からなっているが、保持部２１，１２１，２２１を連結部２２，１２２，２２２と異なるカラーに成形して、ケーブル類の装着を容易に行なえるようにするなどしてもよい。
【００５６】
さらに、サポート２０，１２０，２２０はゴムなどの他のエラストマーからなっていてもよい。
【００５７】
さらに、図１〜５に関連して説明した実施例１において、サポート２０を構成している支持部２１および連結部２２は熱可塑性エラストマーの成型物からなっているが、支持部２１と連結部２２を別部材として構成し、これらをひとつのサポート２０に組み立てた構成としてもよい。実施例２および実施例３においても、各々のサポート部分１３１，１３２，２３１，２３２も支持部１２１，２２２と連結部１２２，２２２をそれぞれ別部材として構成し、これらをひとつのサポート１２０，２２０に組み立てた構成としてもよい。
【００５８】
【発明の効果】
以上述べたように、本発明のケーブル類支持案内装置は、チェーンと、チェーンに沿って配置されたケーブル類と、チェーンと交差してチェーンに配置されたケーブル類を支持するサポートとを備え、サポートがケーブル類の長手方向に撓むように構成され、曲線区間において、ケーブル類の長手方向に力がかかると、サポートが力の作用方向に撓み、曲がるのに必要なケーブル類の長さを確保し、ケーブル類に無理な力がかからないため、ケーブル類の損傷や断線事故がなく、しかもサポート間のケーブル長を厳密に設定しなくても、チェーンに対するケーブル類の組み付けも簡単にかつ迅速に行なうことができる。
【図面の簡単な説明】
【図１】本発明のケーブル類支持案内装置の実施例を示す斜視図である。
【図２】図１に示すケーブル類支持案内装置を構成するサポートの正面図である。
【図３】図２に示すサポートの平面図である。
【図４】図２に示すサポートに対するケーブル類の装着状態を示す断面図である。
【図５】図１に示すケーブル類支持案内装置の使用状態を示す説明図である。
【図６】本発明のケーブル類支持案内装置の他の実施例におけるサポートの正面図である。
【図７】図５に示すサポートを分解した状態の一部破断図である。
【図８】本発明のケーブル類支持案内装置のさらに他の実施例におけるサポートの正面図である。
【図９】図８の９−９線に沿う拡大断面図である。
【符号の説明】
ＣＨ                  チェーン
ＣＢ                  ケーブル類
２０，１２０，２２０  サポート
【図１】
2004156673.tif 000003
【図２】
2004156673.tif 000004
【図３】
2004156673.tif 000005
【図４】
2004156673.tif 000006
【図５】
2004156673.tif 000007
【図６】
2004156673.tif 000008
【図７】
2004156673.tif 000009
【図８】
2004156673.tif 000010
【図９】
2004156673.tif 000011